(57)【要約】【課題】制御基板を収容するケースの封印部分を接着剤により接着し、不正行為を確実に防止できるようにする。【解決手段】ねじ保持部４９ａ〜４９ｆに仮止めされたねじ５３をねじ受け部５１ａ〜５１ｆに螺合することにより、ねじ受け部５１ａ〜５１ｆに埋設された接着剤収容部５５ａ〜５５ｆをねじ５３によって破砕し、接着剤収容部５５ａ〜５５ｆから漏れ出す接着剤により、螺合されたねじ５３の周囲や、ねじ保持部４９ａ〜４９ｆとねじ受け部５１ａ〜５１ｆとの間の隙間を接着し、螺合状態のねじ５３を強固に固定すると共に、ねじ保持部４９ａ〜４９ｆ及びねじ受け部５１ａ〜５１ｆを強固に接着して基板ケース４１を封印する。【選択図】　　　　図３
2004049428.tif 000002
【特許請求の範囲】
【請求項１】
ベースとカバーとに分割され遊技機筐体に固定される基板ケースに設けられ、遊技機用の制御基板を前記基板ケース内に収容して前記基板ケースを封印する遊技機用制御基板ケースの封印装置において、
前記ベースまたは前記カバーの一方に形成されたねじ保持部と、
前記ベースまたは前記カバーの他方の前記ねじ保持部に対向する位置に形成されたねじ受け部と、
前記ねじ保持部側から前記ねじ受け部に螺合されるねじと、
接着剤を収容し前記ねじ受け部に埋設されて前記ねじの螺合時に前記ねじにより破砕される接着剤収容部と
を備えていることを特徴とする遊技機用制御基板ケースの封印装置。
【請求項２】
前記接着剤収容部が、前記ねじによる破砕時に混合して前記接着剤として機能する２種類の液剤を収容するものであることを特徴とする請求項１に記載の遊技機用制御基板ケースの封印装置。
【請求項３】
前記接着剤が、着色されていることを特徴とする請求項１または２に記載の遊技機用制御基板ケースの封印装置。
【請求項４】
前記接着剤収容部が、前記ねじ保持部及び前記ねじ受け部の近傍における前記ベースと前記カバーとを接着する量の前記接着剤を収容していることを特徴とする請求項１ないし３のいずれかに記載の遊技機用制御基板ケースの封印装置。
【請求項５】
前記ねじ保持部が、切断可能な少なくとも１個の支持片を介して前記ベースまたは前記カバーの一方の側面に形成された筒状体から成り、
前記ねじ受け部は、切断可能な少なくとも１個の支持片を介して前記ベースまたは前記カバーの他方の側面に形成された筒状体から成り、
前記ねじ保持部側の前記支持片と、前記ねじ受け部側の前記支持片とが外観視重複しない位置に配設されている
ことを特徴とする請求項１ないし４のいずれかに記載の遊技機用制御基板ケースの封印装置。
【請求項６】
前記ねじ保持部、前記ねじ受け部及び前記接着剤収容部が、それぞれ複数ずつ設けられていることを特徴とする請求項１ないし５のいずれかに記載の遊技機用制御基板ケースの封印装置。
【発明の詳細な説明】
【０００１】
【発明の属する技術分野】
この発明は、ベースとカバーとに分割され遊技機筐体に固定される基板ケースに設けられ、遊技機用の制御基板を基板ケース内に収容して封印する遊技機用制御基板ケースの封印装置に関する。
【０００２】
【従来の技術】
一般に、スロットマシンやパチンコ機等の遊技機は、マイクロコンピュータにより制御されるようになっており、このマイクロコンピュータは予め所定パターンのプリント配線が施された制御基板上に、ＣＰＵやＲＯＭ、ＲＡＭ等のチップ部品が実装されて構成され、この制御基板が、図７に示すような基板ケース１００内に収容されて遊技機筐体内の所定位置に配設される。
【０００３】
ところで、この基板ケース１００は、図７に示すように、透明樹脂製のベース１０１とカバー１０２とに分割され、ケース１００内に制御基板を収めた後、かしめ部１０３においてベース１０１とカバー１０２とをかしめて封印し、このかしめ部１０３を壊さない限りケース１００を開けることができない構造になっている。ここで、図７には示されていないホルダが遊技機筐体内部の所定位置に固着され、ケース１００のベース１０１はこのホルダを介して遊技機筐体に固定されている。
【０００４】
そして、かしめ部１０３は、図７に示すように、例えばケース１００の右側面に設けられた６個の封印部材１０４〜１０９を備え、更にこれら各封印部材１０４〜１０９は、カバー１０２の右側面に一体的に形成されたほぼ円筒状を成すカバー側封印部１０４ａ〜１０９ａと、ベース１０１の右側面であって各カバー側封印部１０４ａ〜１０９ａそれぞれとの対向位置に一体的に形成されたベース側封印部１０４ｂ〜１０９ｂとを備え、ねじにより各カバー側封印部１０４ａ〜１０９ａそれぞれと各ベース側封印部１０４ｂ〜１０９ｂそれぞれとが締結されて封印されるようになっている。但し、図７において、１１０，１１１，１１２はカバー１０２に形成された透孔から導出されたピンヘッダであり、ケース１００内の制御基板に配設されており、外部ケーブルに接続される。
【０００５】
このとき、当初内蔵されている正規のＲＯＭを取り外して不正な変造ＲＯＭが取り付けられることを防止するために、まず１番目の封印部材１０４の両封印部１０４ａ，１０４ｂがねじ止めされてケース１００が封印され、この封印状態のまま制御基板がケース１００ごとパチンコホールに搬送される。更に、パチンコホールにおいて、２番目の両封印部１０５ａ，１０５ｂがねじ止めされて封印状態のケース１００がホルダを介して遊技機筐体に固定される。
【０００６】
そして、監督機関が変造ＲＯＭを取り締まるために、パチンコホールにおいてチェックする際に、ねじ止めされている１番目及び２番目の封印部材１０４，１０５が切断されて封印解除され、チェック終了後に３番目の封印部材１０６の両封印部１０６ａ，１０６ｂがねじ止めされ、このような監督機関による変造ＲＯＭの取り締まりごとに４番目、５番目の封印部材１０７，１０８が順次ねじ止めされて封印され、合計３回の監督機関によるチェックまで許容される構造になっている。
【０００７】
尚、制御基板をケース１００ごと回収する際に、５番目の封印部材１０８が切断されてケース１００が遊技機筐体から取り外し可能な状態にされると共に、６番目の封印部材１０９がねじ止めされてケース１００が封印状態のまま搬送可能な状態にされ、制御基板がケース１００ごと回収される。
【０００８】
【発明が解決しようとする課題】
しかし、上記したような従来のかしめ部１０３は、ねじ止めによって封印するものであるため、ねじ頭に形成されているマイナスドライバの係合溝を、逆動できないような傾斜構造にしてあるものの、円筒状のカバー側封印部１０４ａ〜１０９ａに外部から特殊工具を挿入して締結状態のねじを逆動操作して緩めることが可能であり、制御基板に対して何らかの不正行為を施すことができ、いわゆるゴト行為を防止することができないおそれがあった。
【０００９】
そこで、本発明は、制御基板を収容するケースの封印部分を接着剤により接着し、不正行為を確実に防止できるようにすることを目的とする。
【００１０】
【課題を解決するための手段】
上記した目的を達成するために、本発明は、ベースとカバーとに分割され遊技機筐体に固定される基板ケースに設けられ、遊技機用の制御基板を前記基板ケース内に収容して前記基板ケースを封印する遊技機用制御基板ケースの封印装置において、前記ベースまたは前記カバーの一方に形成されたねじ保持部と、前記ベースまたは前記カバーの他方の前記ねじ保持部に対向する位置に形成されたねじ受け部と、前記ねじ保持部側から前記ねじ受け部に螺合されるねじと、接着剤を収容し前記ねじ受け部に埋設されて前記ねじの螺合時に前記ねじにより破砕される接着剤収容部とを備えていることを特徴としている（請求項１）。
【００１１】
このような構成によれば、ねじ保持部側からねじをねじ受け部に螺合すると、ねじ受け部に埋設された接着剤収容部がねじによって破砕される。そのため、接着剤収容部内の接着剤が漏れ出し、毛細管現象により螺合されたねじの周囲や、ねじ保持部とねじ受け部との間の隙間に滲入し、螺合状態のねじを強固に固定することができると共に、ねじ保持部及びねじ受け部を強固に接着して基板ケースを封印することができ、不正行為を確実に防止できる。
【００１２】
このとき、接着剤により接着されたねじ保持部及びねじ受け部間を強制的に分離しようとすると、ねじ保持部及びねじ受け部間の接着部分が白化するため、白化した接着部分を外部から見ることで何らかの不正行為が行われたと判断することができ、不正行為を早期に発見することができる。
【００１３】
また、本発明が、前記接着剤収容部は、前記ねじによる破砕時に混合して前記接着剤として機能する２種類の液剤を収容するものであることを特徴としている（請求項２）。このような構成によれば、接着剤収容部に２種類の液剤を収容しておき、ねじの螺合時に接着剤収容部を破砕して両液剤を混合するようにしているため、ねじを螺合しない平常時は両液剤が混合して硬化することもなく、ねじを螺合したときにだけ接着力を発揮させることができる。
【００１４】
また、本発明は、前記接着剤が、着色されていることを特徴としている（請求項３）。このような構成によれば、着色された接着剤は外部から認識し易いことから、ねじの螺合により、ねじの周囲やねじ保持部とねじ受け部との間の隙間に滲入した接着剤の状況を目視することができ、接着剤が接着時の色と違っていれば不正行為により接着剤が剥離されていることがわかり、不正行為の有無を容易に判断することができる。
【００１５】
また、本発明は、前記接着剤収容部が、前記ねじ保持部及び前記ねじ受け部の近傍を接着する量の前記接着剤を収容していることを特徴としている（請求項４）。
【００１６】
このような構成によれば、接着剤の量をねじ保持部及びねじ受け部の近傍を接着する量にしているため、不要な個所を接着することを未然に防止できる。
【００１７】
また、本発明は、前記ねじ保持部が、切断可能な少なくとも１個の支持片を介して前記ベースまたは前記カバーの一方の側面に形成された筒状体から成り、前記ねじ受け部は、切断可能な少なくとも１個の支持片を介して前記ベースまたは前記カバーの他方の側面に形成された筒状体から成り、前記ねじ保持部側の前記支持片と、前記ねじ受け部側の前記支持片とが外観視重複しない位置に配設されていることを特徴としている（請求項５）。
【００１８】
このような構成によれば、ねじ保持部側の支持片と、ねじ受け部側の支持片とが外観視重複しない位置に配設されているため、ねじ保持部側及びねじ受け部側の支持片の両方を外部から監視することができ、支持片が切断されるといった不正行為を早期に発見することができる。
【００１９】
また、本発明は、前記ねじ保持部、前記ねじ受け部及び前記接着剤収容部が、それぞれ複数ずつ設けられていることを特徴としている（請求項６）。このような構成によれば、例えば制御基板のチェックのためにカバーを開放する必要が生じても、ねじ保持部に仮止めされているねじを、順次ねじ受け部に螺合していけばよく、封印解除及び封印を簡単に繰り返すことができる。
【００２０】
【発明の実施の形態】
この発明を遊技機であるスロットマシンに適用した場合における一実施形態について図１ないし図６を参照して説明する。但し、図１はスロットマシンの正面図、図２及び図３はそれぞれケースの一部の正面図及び右側断面図、図４は他の一部の断面図、図５及び図６はそれぞれ接着剤収容部の正面図及び断面図である。
【００２１】
本実施形態におけるスロットマシンは、例えば図１に示すように構成されている。即ち、図１に示すように、スロットマシン１では、筐体３の前面が前面パネル５により開閉自在に閉塞され、この前面パネル５のほぼ中央高さの位置に操作板７が配設されると共に、この操作板７の上方に正面板９が配設されている。
【００２２】
そして、この正面板９には３個のリール窓１１が並設され、各リール窓１１の内側には左、中、右の各回転リールが配置され、右端のリール窓１１の横には、ゲームの演出用画面を表示する液晶ディスプレイ１３が配設されており、各リール窓１１からは、各リールの図柄が各々３個ずつ見えるように設定されている。
【００２３】
更に、この操作板７には、クレジットされているメダルから投入を行うクレジットメダルボタン１５、各リールの回転を開始させるためのスタートレバー１７、第１ないし第３ストップボタン１９，２１，２３、及び、メダル投入口２５や払出しボタン２７が設けられている。また、正面板９には入賞ラインが描かれると共に、入賞ライン中の有効ラインを表示する有効表示ランプ３１、ボーナスゲームの状態などを表示する種々の演出表示ランプ３３、クレジットメダルの枚数を表示するメダル枚数表示器３５が正面板９に配設され、操作板７の下方にはメダル払出口３７やメダル受け３９が設けられている。
【００２４】
ところで、筐体３内部の上側には、ＣＰＵやＲＯＭ、ＲＡＭ等のチップ部品が実装された制御基板を収容した基板ケースが配設される。図２及び図３に示すように、この基板ケース４１は、透明樹脂製のベース４３とカバー４５とに分割され、基板ケース４１内に制御基板が収められた後、右側のかしめ部４７においてベース４３とカバー４５とがかしめられて封印され、筐体３内部に固着されたホルダに基板ケース４１が固定され、かしめ部４７を壊さない限り基板ケース４１を開けることができない構造になっている。尚、ベース４３及びカバー４５の左側には、凹凸の組み合わせから成る係合部及び被係合部が形成され、これら係合部及び被係合部によりベース４３及びカバー４５の左側が係脱自在に係合されている。
【００２５】
ところで、かしめ部４７は、カバー４５の右側面に形成された複数個（ここでは、６個）のねじ保持部４９ａ〜４９ｆと、ベース４３の右側面の各ねじ保持部４９ａ〜４９ｆに対向する位置に形成された複数個（ここでは、６個）のねじ受け部５１ａ〜５１ｆと、各ねじ保持部４９ａ〜４９ｆに仮止めされて各ねじ受け部５１ａ〜５１ｆに螺合されるねじ５３と、接着剤を収容し各ねじ受け部５１ａ〜５１ｆに埋設されてねじ５３の螺合時にねじ５３により破砕される接着剤収容部５５ａ〜５５ｆとを備えている。
【００２６】
そして、各ねじ保持部４９ａ〜４９ｆはそれぞれ、図２〜図４に示すように、切断可能な１個の支持片５７を介してカバー４５の右側面に一体形成された円筒状体５９から成り、その底部には、ねじ５３が仮止めされるボス状の仮止め部６１が一体形成され、この仮止め部６１に、ねじ５３の先端が円筒状体５９から突出しない状態にねじ５３が仮止めされている。ここで、ねじ５３は通常のマイナスねじ、プラスねじのどちらでもよいが、不正行為をより確実に防止するためには、マイナスねじであって、マイナスドライバの係合溝が逆動できないように傾斜構造になっているものが望ましい。
【００２７】
また、各ねじ受け部５１ａ〜５１ｆはそれぞれ、図２〜図４に示すように、切断可能な２個の支持片６３を介してベース４３の右側面に形成された円筒状体６５ａ〜６５ｆから成り、特に１番目と６番目の円筒状体６５ａ，６５ｆはねじ５３の螺合時に、その先端が円筒状体６５ａ，６５ｆから突出しないように、２〜５番目の円筒状体６５ｂ〜６５ｅよりも長く設定されている。尚、筐体３内の上部の所定位置に固着されたホルダ（図示せず）に基板ケース４１を固定するために、２〜５番目の短い円筒状体６５ｂ〜６５ｅはホルダのねじ穴に連通するようにホルダに当接して配設され、円筒状体６５ｂ〜６５ｅへのねじ５３の螺合時に、ホルダのねじ穴にもねじ５３が螺合するようになっている。
【００２８】
このとき、ねじ保持部４９ａ〜４９ｆ側の支持片５７と、ねじ受け部５１ａ〜５１ｆ側の支持片６３とが正面視重複しないようにずれて形成され（図２参照）、各支持片５７，６３の破損状況が外部から見て目視できる位置に各支持片５７，６３が配設されている。
【００２９】
更に、図３〜図６に示すように、各ねじ受け部５１ａ〜５１ｆには接着剤収容部５５ａ〜５５ｆの埋設用凹部が形成され、これら各ねじ受け部５１ａ〜５１ｆの各凹部に、各接着剤収容部５５ａ〜５５ｆがそれぞれ収容されて埋設されている。
【００３０】
そして、各接着剤収容部５５ａ〜５５ｆは、中空の円柱体の内部が２室に仕切られて各々の室内に接着剤として２種類の液剤が予め充填されており、ねじ５３の螺合時に接着剤収容部５５ａ〜５５ｆが破砕されて内部の両液剤が混合し、毛細管現象によりねじ５３の周囲や、ねじ保持部４９ａ〜４９ｆと各ねじ受け部５１ａ〜５１ｆとの間の隙間に、混合した両液剤から成る接着剤が滲入し、硬化を始めて接着力を発揮するようになっている。ここで、接着剤としては、エポキシ系やアクリル系のものを使用することができる。
【００３１】
ここで、各接着剤収容部５５ａ〜５５ｆに収容する接着剤の量はあまり多くする必要はなく、各ねじ保持部４９ａ〜４９ｆと各ねじ受け部５１ａ〜５１ｆとの間の隙間を接着できる程度の量にするのが望ましい。また、図２，３，５，６中の１点鎖線に示すように、各接着剤収容部５５ａ〜５５ｆを連結部材６７により連結しておくのが取り扱い上好ましく、各ねじ受け部５１ａ〜５１ｆにはそれぞれ、接着剤収容部５５ａ〜５５ｆの埋設用凹部に連続して連結部材６７用の嵌挿溝を形成しておけばよい。
【００３２】
尚、図２、図３において、６９はパチンコホールにおいて基板ケース４１を筐体３の所定位置に取り付けるための取付片であり、カバー４５の右側面に一対形成され、ねじによりホルダ或いは筐体３の壁面に固着される。
【００３３】
ところで、従来の場合と同様に、当初内蔵されている制御基板上の正規のＲＯＭを取り外して不正な変造ＲＯＭが取り付けられることを防止するために、まず１番目のカバー４５側のねじ保持部４９ａに仮止めされているねじ５３がベース４３側のねじ受け部５１ａに螺合され、接着剤収容部５５ａが破砕されてねじ保持部４９ａ及びねじ受け部５１ａが接着されて基板ケース４１が確実に封印され、この封印状態のまま制御基板が基板ケース４１ごとパチンコホールに搬送される。
【００３４】
更に、パチンコホールにおいて、取付片６９がねじ止めされて基板ケース４１がホルダを介して筐体３内部の所定位置に固定されると共に、２番目のねじ保持部４９ｂに仮止めされているねじ５３がねじ受け部５１ｂに螺合され、接着剤収容部５５ｂが破砕されてねじ保持部４９ｂ及びねじ受け部５１ｂが接着、封印される。このとき、接着剤収容部５５ｂの接着剤はホルダ側にも滲入し、基板ケース４１とホルダとがより強固に固定される。
【００３５】
そして、監督機関が変造ＲＯＭを取り締まるために、パチンコホールにおいてチェックする際には、封印されている１番目のねじ保持部４９ａ及びねじ受け部５１ａ、並びに、２番目のねじ保持部４９ｂ及びねじ受け部５１ｂが、それらを支持する各支持片５７，６３において切断されて封印解除され、カバー４５が開放可能な状態とされ、チェック終了後に３番目のねじ保持部４９ｃに仮止めされているねじ５３がねじ受け部５１ｃに螺合され、接着剤収容部５５ｃが破砕されてねじ保持部４９ｃ及びねじ受け部５１ｃが接着され、基板ケース４１が再び封印され、以後このような監督機関による変造ＲＯＭの取り締まりごとに３番目ないし５番目のねじ５３により基板ケース４１が順次封印される。
【００３６】
尚、制御基板を基板ケース４１ごと回収する際には、６番目のねじ保持部４９ｆに仮止めされているねじ５３がねじ受け部５１ｆに螺合され、接着剤収容部５５ｆが破砕されてねじ保持部４９ｆ及びねじ受け部５１ｆが接着されると共に、封印されている５番目のねじ保持部４９ｅ及びねじ受け部５１ｅを支持する各支持片５７，６３において切断され、６番目のねじ５３及び接着剤により基板ケース４１を接着、封印したまま、基板ケース４１が筐体３内部から取り外され、その封印状態のまま搬送されて制御基板が基板ケース４１ごと回収される。
【００３７】
従って、上記した実施形態によれば、ねじ保持部４９ａ〜４９ｆに仮止めされたねじ５３をねじ受け部５１ａ〜５１ｆに螺合すると、ねじ受け部５１ａ〜５１ｆに埋設された接着剤収容部５５ａ〜５５ｆがねじ５３によって破砕されるため、接着剤収容部５５ａ〜５５ｆ内の接着剤が漏れ出し、毛細管現象により螺合されたねじ５３の周囲や、ねじ保持部４９ａ〜４９ｆとねじ受け部５１ａ〜５１ｆとの間の隙間に滲入し、螺合状態のねじ５３を強固に固定することができると共に、ねじ保持部４９ａ〜４９ｆ及びねじ受け部５１ａ〜５１ｆを強固に接着して基板ケース４１を封印することができ、不正行為を確実に防止できる。
【００３８】
また、接着剤により接着されたねじ保持部４９ａ〜４９ｆ及びねじ受け部５１ａ〜５１ｆ間を強制的に分離しようとすると、ねじ保持部４９ａ〜４９ｆ及びねじ受け部５１ａ〜５１ｆ間の接着部分が白化するため、白化した接着部分を外部から見ることで何らかの不正行為が行われたと判断することができ、不正行為を早期に発見することができる。
【００３９】
更に、接着剤収容部５５ａ〜５５ｆにはそれぞれ２種類の液剤を収容し、ねじ５３の螺合により接着剤収容部５５ａ〜５５ｆを破砕して両液剤を混合する構造であるため、ねじ５３を螺合しない平常時は両液剤が混合して硬化することもなく、ねじ５３を螺合したときにだけ接着力を発揮させることができる。
【００４０】
なお、上記した実施形態における接着剤収容部５５ａ〜５５ｆ内の接着剤は、着色されているとよい。こうすると、着色された接着剤は外部から認識し易いことから、ねじ５３の螺合により、ねじ５３の周囲やねじ保持部４９ａ〜４９ｆとねじ受け部５１ａ〜５１ｆとの間の隙間に滲入した接着剤の状況を目視することができ、接着剤が接着時の色と違っていれば不正行為により接着剤が剥離されていることがわかり、不正行為の有無を容易に判断することができる。
【００４１】
また、上記した実施形態では、各ねじ保持部４９ａ〜４９ｆを支持する支持片５７と各ねじ受け部５１ａ〜５１ｆを支持する支持片６３の位置を正面視重複しないようにずらしているが、必ずしもこれらをずらす必要はない。具体的には、各ねじ保持部４９ａ〜４９ｆ及び各ねじ受け部５１ａ〜５１ｆを支持する各々の支持片の個数を同じにして、ねじ保持部４９ａ〜４９ｆの支持片とねじ受け部５１ａ〜５１ｆの支持片が正面視重複するように配設しても構わない。
【００４２】
ところで、カバー４５及びベース４３の一端部（例えば、右端部）に、６個の凹状の切欠部をそれぞれ形成し、これら切欠部内に筒状体から成る各ねじ保持部４９ａ〜４９ｆ及び各ねじ受け部５１ａ〜５１ｆを配設し、各ねじ保持部４９ａ〜４９ｆ及び各ねじ受け部５１ａ〜５１ｆは、各々の凹状切欠部における３つの側面のうちのいずれかに支持片によって支持する構造としてもよい。
【００４３】
更に、上記した実施形態では、各ねじ保持部４９ａ〜４９ｆを円筒状体５９により、各ねじ受け部５１ａ〜５１ｆを円筒状体６５ａ〜６５ｆによりそれぞれ構成した例を示したが、これら円筒状体５９，６５ａ〜６５ｆに代えて角筒状体により構成してもよい。
【００４４】
また、上記した実施形態では、ねじ保持部４９ａ〜４９ｆ、ねじ受け部５１ａ〜５１ｆ、ねじ５３及び接着剤収容部５５ａ〜５５ｆをそれぞれ６個としているが、これらの個数は特に６個に限定されるものではない。
【００４５】
更に、上記した実施形態では、本発明をスロットマシンに適用した場合について説明したが、パチンコ機といった他の遊技機にも本発明を適用することができ、その場合にも上記した各実施形態と同等の効果を得ることができる。
【００４６】
また、本発明は上記した実施形態に限定されるものではなく、その趣旨を逸脱しない限りにおいて上述したもの以外に種々の変更を行うことが可能である。
【００４７】
【発明の効果】
以上のように、請求項１に記載の発明によれば、ねじ保持部側からねじをねじ受け部に螺合すると、ねじ受け部に埋設された接着剤収容部がねじによって破砕されるため、接着剤収容部内の接着剤が漏れ出し、毛細管現象により螺合されたねじの周囲や、ねじ保持部とねじ受け部との間の隙間に滲入し、螺合状態のねじを強固に固定することができると共に、ねじ保持部及びねじ受け部を強固に接着して基板ケースを封印することができ、不正行為を確実に防止することが可能になる。
【００４８】
更に、接着剤により接着されたねじ保持部及びねじ受け部間を強制的に分離しようとすると、ねじ保持部及びねじ受け部間の接着部分が白化するため、白化した接着部分を外部から見ることで何らかの不正行為が行われたと判断することができ、不正行為を早期に発見することが可能になる。
【００４９】
また、請求項２に記載の発明によれば、接着剤収容部に２種類の液剤を収容しておき、ねじの螺合時に接着剤収容部を破砕して両液剤を混合するようにしているため、ねじを螺合しない平常時は両液剤が混合して硬化することもなく、ねじを螺合したときにだけ接着力を発揮させることが可能になる。
【００５０】
また、請求項３に記載の発明によれば、着色された接着剤は外部から認識し易いことから、ねじの螺合により、ねじの周囲やねじ保持部とねじ受け部との間の隙間に滲入した接着剤の状況を目視することができ、接着剤が接着時の色と違っていれば不正行為により接着剤が剥離されていることがわかり、不正行為の有無を容易に判断することが可能になる。
【００５１】
また、請求項４に記載の発明によれば、接着剤の量をねじ保持部及びねじ受け部の近傍を接着する量にしたため、不要な個所の接着を未然に防止することが可能になる。
【００５２】
また、請求項５に記載の発明によれば、ねじ保持部側の支持片と、ねじ受け部側の支持片とが外観視重複しない位置に配設されているため、ねじ保持部側及びねじ受け部側の支持片の両方を外部から監視することができ、支持片が切断されるといった不正行為を早期に発見することが可能になる。
【００５３】
また、請求項６に記載の発明によれば、例えば制御基板のチェックのためにカバーを開放する必要が生じても、ねじ保持部に仮止めされているねじを、順次ねじ受け部に螺合していけばよく、封印解除及び封印を簡単に繰り返すことが可能になる。
【図面の簡単な説明】
【図１】この発明の一実施形態におけるスロットマシンの正面図である。
【図２】この発明の一実施形態におけるケースの一部の正面図である。
【図３】この発明の一実施形態におけるケースの右側断面図である。
【図４】この発明の一実施形態における他の一部の断面図である。
【図５】この発明の一実施形態における接着剤収容部の正面図である。
【図６】この発明の一実施形態における接着剤収容部の断面図である。
【図７】従来例の斜視図である。
【符号の説明】
１　　スロットマシン（遊技機）
３　　筐体（遊技機筐体）
４１　基板ケース
４３　ベース
４５　カバー
４９ａ〜４９ｆ　ねじ保持部
５１ａ〜５１ｆ　ねじ受け部
５３　ねじ
５５ａ〜５５ｆ　接着剤収容部
５７，６３　支持片
５９　円筒状体
６５ａ〜６５ｆ　円筒状体
【図１】
2004049428.tif 000003
【図２】
2004049428.tif 000004
【図３】
2004049428.tif 000005
【図４】
2004049428.tif 000006
【図５】
2004049428.tif 000007
【図６】
2004049428.tif 000008
【図７】
2004049428.tif 000009